(57)【要約】【課題】球発射機構から遊技領域の上部に発射された球を遊技領域の右側に配置された入賞部品に入賞し易くする。【解決手段】天釘ｄ乃至ｇを狙って発射された球が天釘ｄ乃至ｇのいずれかに衝突して右側に跳ね返されて朝顔５５における上部の入口に取り込まれることが多発し、この朝顔５５における上部の入口に取り込まれた球が、朝顔５５を流下した後、朝顔５５における下部の出口から下方に真直に落下し、支持体６１の中心が朝顔５５の中心線Ｌ３よりも左側に距離ｄ２だけ位置をずらして配置された風車５７に衝突して遊技領域１３の右下に向かって流下し、この遊技領域１３の右下に向かって流下した球が第１０入賞口４１の開閉体ａの開放中における第１０入賞口４１または第１５入賞口４６の開閉体ｂ；ｃの開放中における第１５入賞口４６に入賞し易くなる。【選択図】図１
2007289339.tif 000002
【特許請求の範囲】
【請求項１】
遊技基盤の前面に設けられた遊技領域と、球を上から下に誘導するように遊技領域の右側に設けられた球誘導部材と、球誘導部材から落下した球を左右に振り分けるように球誘導部材よりも下部の遊技領域に設けられた振分部材と、振分部材よりも下部右側で遊技領域に設けられた入賞口とを備えたパチンコ遊技機の遊技盤において、振分部材の中心が球誘導部材の中心線よりも左側に位置をずらして配置されたことを特徴とするパチンコ遊技機の遊技盤。
【発明の詳細な説明】
【技術分野】
【０００１】
本発明は、球発射機構から遊技領域の上部に発射された球が遊技領域の右側に配置された入賞部品に入賞し易くなるパチンコ遊技機の遊技盤に関する。
【背景技術】
【０００２】
パチンコ遊技機の遊技盤には、遊技領域の上部に左右に相対峙する一対の連釘からなる朝顔を球誘導部材として左右に配置し、朝顔よりも下部に風車を個別に配置し、風車の回転軸を構成する支持体が朝顔における上下方向に延びる中心線より外側に位置をずらして配置され、朝顔を流下した球が風車に衝突して遊技領域の中央に向かって流下するようにしたものが知られている。しかしながら、球を朝顔に流入させるように操作していた遊技者が、朝顔よりも下部で遊技領域の右側に配置された入賞部品に球を入賞させる場合、球が朝顔の上部を左から右側に飛び越えるように、球を遊技領域に発射するための操作を変更しなければならないという欠点がある。
【特許文献１】特開平２−１０４３８２号公報
【発明の開示】
【発明が解決しようとする課題】
【０００３】
発明が解決しようとする問題点は、朝顔に流入した球が朝顔よりも下部で遊技領域の右側に配置された入賞部品に入賞しづらいという点である。
【課題を解決するための手段】
【０００４】
本発明に係るパチンコ遊技機の遊技盤は、遊技基盤の前面に設けられた遊技領域と、球を上から下に誘導するように遊技領域の右側に設けられた球誘導部材と、球誘導部材から落下した球を左右に振り分けるように球誘導部材よりも下部の遊技領域に設けられた振分部材と、振分部材よりも下部右側で遊技領域に設けられた入賞口とを備えたパチンコ遊技機の遊技盤において、振分部材の中心が球誘導部材の中心線よりも左側に位置をずらして配置されたことを最も主要な特徴とする。
【発明の効果】
【０００５】
本発明に係るパチンコ遊技機の遊技盤は、振分部材の中心が球誘導部材の中心線よりも左側に位置をずらして配置されたことによって、球が遊技領域の右側の球誘導部材で上から下に誘導された後に振分部材に衝突して遊技領域の右下に向かって流下し、この遊技領域の右下に向かって流下した球が球誘導部材よりも下部で遊技領域の右側に配置された入賞部品に入賞し易くなるという利点がある。
【発明を実施するための最良の形態】
【０００６】
図１乃至図４は、発明を実施するための最良の形態である。図１は、遊技盤２の正面を示す。図２のａ図は、朝顔５４と風車５６との関係を示す。図２のｂ図は、朝顔５５と風車５７との関係を示す。図３は、パチンコ遊技機の正面を示す。図４は、第１乃至第１１入賞部品２１乃至３１と第１乃至第２２入賞口３２乃至５３と払出と連動との相互関係を示す。本明細書において、「前」、「表」、「後」、「裏」、「左」、「右」、「上」、「下」の方向は、図３の状態に遊技機枠１および遊技盤２を置いて図３の紙面の表側から見た場合に特定される方向である。「前」および「表」は、同じ方向である。「後」および「裏」は、同じ方向である。
【０００７】
図１を参照し、遊技盤２の正面の構造について説明する。遊技盤２は、遊技基盤２Ａの前面に、遊技領域１３を備える。遊技領域１３は、遊技盤２の前面の内ガイドレール１４および外ガイドレール１５で囲まれた部分である。遊技領域１３の左側には、球発射通路１６が接続される。球発射通路１６は、内ガイドレール１４の左側部と外ガイドレール１５の左側部との間の隙間によって形成される。遊技領域１３には、アウト口１７、球戻り防止弁１８、球反発体１９、遊技釘２０、第１入賞部品２１、第２入賞部品２２、第３入賞部品２３、第４入賞部品２４、第５入賞部品２５、第６入賞部品２６、第７入賞部品２７、第８入賞部品２８、第９入賞部品２９、第１０入賞部品３０、第１１入賞部品３１が設けられる。
【０００８】
第１入賞部品２１は、第１入賞口３２を備える。第２入賞部品２２は、第２入賞口３３を備える。第３入賞部品２３は、第３入賞口３４、第４入賞口３５、第５入賞口３６、第６入賞口３７、第７入賞口３８、第８入賞口３９、第９入賞口４０、第１０入賞口４１、第１１入賞口４２、第１２入賞口４３からなる１０個の入賞口を備える。第４入賞部品２４は、第１３入賞口４４、第１４入賞口４５を備える。第５入賞部品２５は、第１５入賞口４６、第１６入賞口４７を備える。第６入賞部品２６は、第１７入賞口４８を備える。第７入賞部品２７は、第１８入賞口４９を備える。第８入賞部品２８は、第１９入賞口５０を備える。第９入賞部品２９は、第２０入賞口５１を備える。第１０入賞部品３０は、第２１入賞口５２を備える。第１１入賞部品３１は、第２２入賞口５３を備える。
【０００９】
第１乃至第７入賞口３２乃至３８、第１２入賞口４３、第１４入賞口４５、第１６入賞口４７は、球を取り入れるための口の大きさが不変な入賞口として構成される。第８乃至第１１入賞口３９乃至４２は、球を取り入れるための口の大きさが可変な入賞口として、球を取り入れるための口の部分に一体の開閉体ａを個別に備え、開閉体ａが垂直姿勢から下部を中心として前側に前傾姿勢に開放されることによって球を取り入れるための口に球を入れることが可能になり、開閉体ａが前傾姿勢から下部を中心として後側に垂直姿勢に閉鎖されることによって球を取り入れるための口に球を入れることが不可能になるように、構成される。
【００１０】
第１３入賞口４４、第１５入賞口４６、第１７乃至第２２入賞口４８乃至５３は、球を取り入れるための口の大きさが可変な入賞口として、球を取り入れるための口の部分に左右一対の開閉体ｂ；ｃを備え、左の開閉体ｂが垂直姿勢から下部を中心として左側に左斜め姿勢に開放され、右の開閉体ｃが垂直姿勢から下部を中心として右側に右斜め姿勢に開放されることによって球を取り入れるための口に球を入れることが可能になり、左の開閉体ｂが左斜め姿勢から下部を中心として右側に垂直姿勢に閉鎖され、右の開閉体ｃが右斜め姿勢から下部を中心として左側に垂直姿勢に閉鎖されることによって球を取り入れるための口に球を入れることが不可能になるように、構成される。
【００１１】
第１入賞口３２、第２入賞口３３、第５乃至第２２入賞口３６乃至５３は、入賞した球を遊技盤２の裏側に排出する。第３入賞口３４、第４入賞口３５は、入賞した球を第５乃至第７入賞口３６乃至３８のいずれかに必ず入賞するように第３入賞部品２３の前部に形成された部屋で下方に落下する。第１乃至第４入賞口３２乃至３５、第８乃至第２２入賞口３９乃至５３は、球が入賞すると、賞球を払い出す。第５乃至第７入賞口３６乃至３８は、球が入賞しても、賞球を払い出さない。
【００１２】
第５入賞口３６または第１４入賞口４５のいずれかに入賞した球は、遊技盤２の裏側に排出され、遊技盤２の裏部に設けられた図外の球通路を経由して第１３入賞口４４の開閉体ｂ；ｃを開放する。第８入賞口３９の開閉体ａが開放中または第９入賞口４０の開閉体ａが開放中において、第８入賞口３９または第９入賞口４０のいずれかに入賞した球は、第８入賞口３９の開閉体ａまたは第９入賞口４０の開閉体ａを閉鎖し、遊技盤２の裏側に排出され、遊技盤２の裏部に設けられた図外の球通路を経由して第１３入賞口４４の開閉体ｂ；ｃを開放する。第６入賞口３７に入賞した球は、遊技盤２の裏側に排出され、遊技盤２の裏部に設けられた図外の球通路を経由して第８乃至第１１入賞口３９乃至４２の開閉体ａと第１７乃至第１９入賞口４８乃至５０の開閉体ｂ；ｃおよび第２１入賞口５２の開閉体ｂ；ｃを開放する。よって、第６入賞口３７は、第８乃至第１１入賞口３９乃至４２開閉体ａと第１７乃至第１９入賞口４８乃至５０の開閉体ｂ；ｃおよび第２１入賞口５２の開閉体ｂ；ｃを開放するというように、球を取り入れることができるように球を取り入れるための口を可変にするきっかけを作る特定入賞口を構成する。
【００１３】
第７入賞口３８または第１６入賞口４７のいずれかに入賞した球は、遊技盤２の裏側に排出され、遊技盤２の裏部に設けられた図外の球通路を経由して第１５入賞口４６の開閉体ｂ；ｃを開放する。第１０入賞口４１の開閉体ａが開放中または第１１入賞口４２の開閉体ａが開放中において、第１０入賞口４１または第１１入賞口４２のいずれかに入賞した球は、第１０入賞口４１の開閉体ａまたは第１１入賞口４２の開閉体ａを閉鎖し、遊技盤２の裏側に排出され、遊技盤２の裏部に設けられた図外の球通路を経由して第１５入賞口４６の開閉体ｂ；ｃを開放する。
【００１４】
第１３入賞口４４の開閉体ｂ；ｃが開放中において、第１３入賞口４４に入賞した球は、第１３入賞口４４の開閉体ｂ；ｃを閉鎖し、遊技盤２の裏側に排出される。第１７入賞口４８の開閉体ｂ；ｃが開放中において、第１７入賞口４８に入賞した球は、第１７入賞口４８の開閉体ｂ；ｃを閉鎖し、遊技盤２の裏側に排出され、遊技盤２の裏部に設けられた図外の球通路を経由して第２０入賞口５１の開閉体ｂ；ｃを開放する。第１８入賞口４９の開閉体ｂ；ｃが開放中において、第１８入賞口４９に入賞した球は、第１８入賞口４９の開閉体ｂ；ｃを閉鎖し、遊技盤２の裏側に排出され、遊技盤２の裏部に設けられた図外の球通路を経由して第２１入賞口５２の開閉体ｂ；ｃを開放する。第１９入賞口５０の開閉体ｂ；ｃが開放中において、第１９入賞口５０に入賞した球は、第１９入賞口５０の開閉体ｂ；ｃを閉鎖し、遊技盤２の裏側に排出され、遊技盤２の裏部に設けられた図外の球通路を経由して第２２入賞口５３の開閉体ｂ；ｃを開放する。
【００１５】
第２０入賞口５１の開閉体ｂ；ｃが開放中において、第２０入賞口５１に入賞した球は、第２０入賞口５１の開閉体ｂ；ｃを閉鎖し、遊技盤２の裏側に排出される。第２１入賞口５２の開閉体ｂ；ｃが開放中において、第２１入賞口５２に入賞した球は、第２１入賞口５２の開閉体ｂ；ｃを閉鎖し、遊技盤２の裏側に排出される。第２２入賞口５３の開閉体ｂ；ｃが開放中において、第２２入賞口５３に入賞した球は、第２２入賞口５３の開閉体ｂ；ｃを閉鎖し、遊技盤２の裏側に排出される。第６入賞口３７への球の入賞によって、第１８入賞口４９の開閉体ｂ；ｃおよび第２１入賞口５２の開閉体ｂ；ｃが開放中においては、球が第１８入賞口４９に入賞するよりも先の時点で第２１入賞口５２に入賞した方が、球が第２１入賞口５２に入賞するよりも先の時点で第１８入賞口４９に入賞するよりも、有利である。
【００１６】
その理由は、球が第１８入賞口４９に入賞するよりも先の時点で第２１入賞口５２に入賞すれば、第２１入賞口５２への入賞に伴い第２１入賞口５２の開閉体ｂ；ｃが閉鎖した後に、第１８入賞口４９への入賞に伴い第２１入賞口５２の開閉体ｂ；ｃが再び開放するからである。換言すると、球が第１８入賞口４９に入賞するよりも先の時点で第２１入賞口５２に入賞した場合に賞球として払い出される球の個数は、球が第２１入賞口５２に入賞するよりも先の時点で第１８入賞口４９に入賞した場合に賞球として払い出される球の個数よりも多くなるからである。
【００１７】
つまり、第５入賞口３６に球が入賞した場合、賞球が払い出されず、第１３入賞口４４の開閉体ｂ；ｃが開放する。第６入賞口３７に球が入賞した場合、賞球が払い出されず、第８乃至第１１入賞口３９乃至４２の開閉体ａと第１７乃至第１９入賞口４８乃至５０および第２１入賞口５２の開閉体ｂ；ｃが開放する。第７入賞口３８に球が入賞した場合、賞球が払い出されず、第１５入賞口４６の開閉体ｂ；ｃが開放する。第８入賞口３９または第９入賞口４０または第１４入賞口４５に球が入賞した場合、賞球が払い出され、第１３入賞口４４の開閉体ｂ；ｃが開放する。第１０入賞口４１または第１１入賞口４２または第１６入賞口４７に球が入賞した場合、賞球が払い出され、第１５入賞口４６の開閉体ｂ；ｃが開放する。第１７入賞口４８に球が入賞した場合、賞球が払い出され、第２０入賞口５１の開閉体ｂ；ｃが開放する。第１８入賞口４９に球が入賞した場合、賞球が払い出され、第２１入賞口５２の開閉体ｂ；ｃが開放する。第１９入賞口５０に球が入賞した場合、賞球が払い出され、第２２入賞口５３の開閉体ｂ；ｃが開放する（図４参照）。
【００１８】
とりわけ、遊技領域１３の上部には、球誘導部材を構成する朝顔５４；５５および振分部材を構成する風車５６；５７が左右に分かれて設けられる。朝顔５４および風車５６の１組が、遊技領域１３の中心線Ｌ１よりも左側に配置される。中心線Ｌ１は、遊技領域１３の最上位置５８と最下位置５９とを結ぶように上下方向に延びて、遊技領域１３を左右に分ける。朝顔５４は、左右に相対峙する一対の連釘によって構成される。朝顔５４における一対の連釘は、多数本の遊技釘が球の通過不可能な間隔で上下方向に連続し、下から上に行くにしたがって相対峙する左右方向の間隔を広くする弧状を形成する。よって、朝顔５４は、遊技領域１３を流下する球を左右方向の間隔の最も広い上部の入口に取り込み、取り込んだ球を左右方向の間隔の最も狭い下部の出口から下方の遊技領域１３に排出する、球誘導部材を構成する。
【００１９】
風車５６は、朝顔５４よりも下部に配置される。風車５６の回転軸を構成する支持体６０が遊技基盤２Ａに固定され、風車５６が遊技領域１３から前側に突出した支持体６０に回転可能に支持される。そして、朝顔５４の下部の出口から落下した球が風車５６に衝突すると、風車５６が支持体６０を中心として遊技領域１３と平行に左回りまたは右回りに回転し、上記衝突した球を左右に振り分ける。しかしながら、支持体６０の中心が朝顔５４の中心線Ｌ２よりも左側である外側に距離ｄ１だけ位置をずらして配置されるように、支持体６０が遊技基盤２Ａに取り付けられる。これによって、球が朝顔５４から落下して風車５６に衝突した場合、風車５６が衝突した球を主に遊技領域１３の中央の側に流下させる。朝顔５４の中心線Ｌ２は、朝顔５４における一対の連釘の相対峙する左右方向の間隔の２等分位置を結ぶ鉛直線である。
【００２０】
朝顔５５および風車５７のもう１組が、遊技領域１３の中心線Ｌ１よりも右側に配置される。朝顔５５は、左右に相対峙する一対の連釘によって構成される。朝顔５５における一対の連釘は、多数本の遊技釘が球の通過不可能な間隔で上下方向に連続し、下から上に行くにしたがって相対峙する左右方向の間隔を広くする弧状を形成する。よって、朝顔５５は、遊技領域１３を流下する球を左右方向の間隔の最も広い上部の入口に取り込み、取り込んだ球を左右方向の間隔の最も狭い下部の出口から下方の遊技領域１３に排出する、球誘導部材を構成する。
【００２１】
風車５７は、朝顔５５よりも下部に配置される。風車５７の回転軸を構成する支持体６１が遊技基盤２Ａに固定され、風車５７が遊技領域１３から前側に突出した支持体６１に回転可能に支持される。そして、朝顔５５の下部の出口から落下した球が風車５７に衝突すると、風車５７が支持体６１を中心として遊技領域１３と平行に左回りまたは右回りに回転し、上記衝突した球を左右に振り分ける。しかしながら、支持体６１の中心が朝顔５５の中心線Ｌ３よりも左側である内側に距離ｄ２だけ位置をずらして配置されるように、支持体６１が遊技基盤２Ａに取り付けられる。これによって、球が朝顔５５から落下して風車５７に衝突した場合、風車５７が衝突した球を主に遊技領域１３の右側に流下させる。朝顔５５の中心線Ｌ３は、朝顔５５における一対の連釘の相対峙する左右方向の間隔の２等分位置を結ぶ鉛直線である。左右の支持体６０；６１の中心は、１本の水平線Ｌ４上に配置される。水平線Ｌ４は、第１２入賞口４３の部分において、中心線Ｌ１に直交する。
【００２２】
図２のａ図を参照し、朝顔５４および風車５６の関係について説明する。風車５６の裏面には、複数の羽根６２が設けられる。羽根６２は、朝顔５４から落下する球と衝突するものであって、支持体を中心とした放射状に突出した板状に構成される。羽根６２と朝顔５４における右の連釘を構成する最下部の遊技釘との間の隙間ｄ３は、１個の球の直径から当該直径の１．５倍までの範囲の寸法に設定される。
【００２３】
図２のｂ図を参照し、朝顔５５および風車５７の関係について説明する。風車５７の裏面には、複数の羽根６３が設けられる。羽根６３は、朝顔５５から落下する球と衝突するものであって、支持体を中心とした放射状に突出した板状に構成される。羽根６３と朝顔５５における右の連釘を構成する最下部の遊技釘との間の隙間ｄ４は、１個の球の直径から当該直径の１．５倍までの範囲の寸法に設定される。
【００２４】
図１では、第１０入賞口４１や第１５入賞口４６が風車５７よりも下部で遊技領域１３の右側に配置される入賞口を構成する。遊技領域１３の中心線Ｌ１よりも右側の領域に設けられた朝顔５５および風車５７において、風車５７の支持体６１の中心が朝顔５５の中心線Ｌ３よりも左側に距離ｄ２だけ位置をずらして配置されている。そして、球が遊技領域１３の最上部に設けられた遊技釘２０を構成する天釘ｄ；ｅ；ｆ；ｇを狙って発射されるように図３の球発射操作機構１２を操作していた遊技者が、右の朝顔５５よりも下部で遊技領域１３の右側に配置された可変入賞部品としての第１０入賞口４１や第１５入賞口４６に球を入賞させる場合、上記球発射操作機構１２への操作を変更しなくてよい。その理由は、天釘ｄ乃至ｇを狙って発射された球が天釘ｄ乃至ｇのいずれかに衝突して右側に跳ね返されて朝顔５５における上部の入口に取り込まれることが多発し、この朝顔５５における上部の入口に取り込まれた球は、朝顔５５を流下した後、朝顔５５における下部の出口から下方に真直に落下して風車５７における図２のｂ図の羽根６３に衝突して遊技領域１３の右下に向かって流下し、この遊技領域１３の右下に向かって流下した球が第１０入賞口４１の開閉体ａの開放中における第１０入賞口４１または第１５入賞口４６の開閉体ｂ；ｃが開放中における第１５入賞口４６に入賞し易くなるという利点がある。
【００２５】
支持体６０または支持体６１が遊技釘２０に類似する釘で構成されれば、遊技店の店員が支持体６０の風車５６より前側に突出した頭部または支持体６１の風車５７より前側に突出した頭部を左側または右側に移動するように手で根本から曲げたりハンマーなどの工具で叩くことによって、風車５６による朝顔５４から落下した球を左右に振り分ける機能または風車５７による朝顔５５から落下した球を左右に振り分ける機能を調整できるようにしてもよい。
【００２６】
図３を参照し、パチンコ遊技機の構造について説明する。パチンコ遊技機は、大まかには、遊技機枠１の内部に遊技盤２を交換可能に格納した形態である。遊技盤２が遊技機枠１に格納された場合、遊技領域１３が遊技機枠１の前側から窓９および前面パネル１０を経由して視認される。遊技機枠１は、固定枠３の前側に可動枠４を開閉可能に備え、可動枠４の前側に前扉５および皿構造体６を開閉可能に備える。固定枠３は、遊技機設置構造体に取り付けるための外枠とも呼ばれる。遊技機設置構造体は、遊技店のパチンコ遊技機を設置する島とも呼ばれる設備である。可動枠４は、遊技盤２、球発射機構７、図外の球払出機構など遊技に必要な部品を取り付ける前枠とも呼ばれる。球払出機構は、可動枠４の裏部に設けられる。前扉５は、パネル枠とも呼ばれ、前後方向に貫通する窓９を備える。窓９は、前面パネル１０で塞がれる。前面パネル１０は、前扉５の裏面に設けられた光透過性の有る無色なガラスのような板状の部材により構成される。皿構造体６の前面には、球受皿部１１および球発射操作機構１２が設けられる。
【００２７】
そして、球受皿部１１にパチンコ球と呼ばれる球が入れられた状態において、遊技者が球発射操作機構１２を操作すると、球発射機構７が球受皿部１１から供給された球を球発射操作機構１２の操作量に対応した発射出力で１個ずつ遊技盤２の側である上方に向けて発射する。球発射機構７から上方に発射された球は、球発射通路１６から球戻り防止弁１８を押し開けて遊技領域１３の上部に到達する。遊技領域１３の上部に到達した球は、自重で遊技領域１３を流下する過程において、第１乃至第１１入賞部品２１乃至３１および遊技釘２０や図１の朝顔５４；５５および風車５６；５７に衝突して流れる方向を変えながら第１乃至第２２入賞口３２乃至５３に入賞する。
【００２８】
図４において、入賞部品欄の第１乃至第１１は、図１の第１乃至第１１入賞部品２１乃至３１を表す。入賞口欄の第１乃至第２２は、図１の第１乃至第２２入賞口３２乃至５３を表す。払出欄の○印は、当該欄の左側に位置する入賞口への入賞に対し、賞球が払い出されることを表す。払出欄の×印は、当該欄の左側に位置する入賞口への入賞に対し、賞球が払い出されないことを表す。連動欄の○印は、当該欄の左側に位置する入賞口への入賞に対し、連動する入賞口が有ることを表す。連動欄の○印の右側には、連動する入賞口の該当する番号を表す。連動する入賞口の該当する番号は、図１の第８乃至第１１入賞口３９乃至４２と第１３入賞口４４と第１５入賞口４６と第１７乃至第２２入賞口４８乃至５３を表す。
【産業上の利用可能性】
【００２９】
入賞部品の個数は、第１乃至第１１入賞部品２１乃至３１からなる１１個に限定されるものではなく、２個から１０個までの範囲、１２個以上であってもよいが、少なくとも１個の入賞部品は風車５７よりも下部で遊技領域１３の右側に配置されることによって適用できる。風車５７を取り除き、振分部材を遊技釘などの突起物で構成し、この振分部材を構成する突起物が支持体６１を設ける位置に配置されるように遊技基盤２Ａに固定されてもよい。風車５７よりも下部で遊技領域１３の右側に配置される入賞口を構成する第１０入賞口４１の開閉体ａは、特定入賞口を構成する第６入賞口３７に入賞した球で開放し、第１０入賞口４１に入賞した球で閉じるように構成したが、第５入賞部品２５の裏部に設けた電磁ソレノイドで開閉するように構成されてもよい。風車５７よりも下部で遊技領域１３の右側に配置される入賞口を構成する第１５入賞口４６の開閉体ｂ；ｃは、第７入賞口３８、第１０入賞口４１、第１１入賞口４２、第１６入賞口４７のいずれかに入賞した球で開放し、第１５入賞口４６入賞した球で閉じるように構成したが、第５入賞部品２５の裏部に設けた電磁ソレノイドで開閉するように構成されてもよい。第１０入賞口４１の開閉体ａが、第１５入賞口４６の開閉体ｂ；ｃに類似する左右に一対の開閉体で構成されてもよい。第１５入賞口４６の開閉体ｂ；ｃが、第１０入賞口４１の開閉体ａに類似する一体の開閉体で構成されてもよい。
【００３０】
第８入賞口３９の開閉体ａ、第９入賞口４０の開閉体ａ、第１１入賞口４２の開閉体ａは、第３入賞部品２３の裏部に設けた電磁ソレノイドで開閉するように構成されたり、第１５入賞口４６の開閉体ｂ；ｃに類似する左右に一対の開閉体で構成されたりしてもよい。第１３入賞口４４の開閉体ｂ；ｃは、第４入賞部品２４の裏部に設けた電磁ソレノイドで開閉するように構成してもよい。第１７乃至第２２入賞口４８乃至５３の開閉体ｂ；ｃは、第６乃至第１１入賞部品２６乃至３１の裏部に個別に設けた電磁ソレノイドで開閉するように構成されたり、第１０入賞口４１の開閉体ａに類似する一体の開閉体で構成されたりしてもよい。電磁ソレノイドで開閉体ａ；ｂ；ｃを開閉する場合、球検出器が入賞口に入賞した球を検出した球検出信号が遊技基盤２Ａの裏部または可動枠４の裏部に設けられた制御装置に出力され、この球検出信号の入力された制御装置が電磁ソレノイドを制御することによって、電磁ソレノイドが開閉体ａ；ｂ；ｃを開閉するように駆動する。
【００３１】
支持体６０の中心が朝顔５４の中心線Ｌ２よりも右側である内側に距離ｄ１だけ位置をずらして配置されるように、支持体６０が遊技基盤２Ａに取り付けられ、球が朝顔５４から落下して風車５６に衝突した場合、風車５６が衝突した球を主に遊技領域１３の左側に流下させ、第８入賞口３９や第４入賞部品２４に入賞し易くしてもよい。朝顔５４または朝顔５５は、連釘以外の一体の部材で構成してもよい。振分部材よりも下部で遊技領域１３の右側に設けられた入賞口としては、風車５７よりも下部で遊技領域１３の右側に配置される入賞口を構成する第１０入賞口４１の開閉体ａは、特定入賞口を構成する第６入賞口３７に入賞した球で開放する開閉体ａを有する可変入賞口からなる第１０入賞口４１、第６入賞口３７に入賞した球で開放する開閉体ｂ；ｃを有する可変入賞口からなる第１５入賞口４６を例示したが、第１入賞口３２に類似するように球を取り入れるための口の大きさが不変な入賞口からなる定形入賞口により構成してもよい。この振分部材よりも下部で遊技領域１３の右側に設けられた入賞口を構成する定形入賞口は、特定入賞口への球の入賞によって球を取り入れるための口の大きさは変わらない。該定形入賞口の個数は、単数または複数のいずれでもよい。
【図面の簡単な説明】
【００３２】
【図１】遊技盤の正面図（最良の形態）。
【図２】朝顔と風車との関係を示す模式図（最良の形態）。
【図３】パチンコ遊技機の正面図（最良の形態）。
【図４】第１乃至第１１入賞部品と第１乃至第２２入賞口と払出と連動との相互関係を示す図表（最良の形態）。
【符号の説明】
【００３３】
２        遊技盤
２Ａ      遊技基盤
３７      第６入賞口（特定入賞口）
５５      朝顔（球誘導部材）
５７      風車（振分部材）
Ｌ３      朝顔５５の中心線
ｄ乃至ｇ  天釘
ｄ２      距離
【図１】
2007289339.tif 000003
【図２】
2007289339.tif 000004
【図３】
2007289339.tif 000005
【図４】
2007289339.tif 000006